(57)【要約】      （修正有）【課題】施工が容易で軽量で耐久性に優れ装飾性に富んだ、室内の装飾として最適な装飾用コンクリート壁を提供する。【解決手段】 建物の柱１１に下地材であるコンクリートパネル１２と裏面型枠であるプラスターボード１３を順次固定し、さらにプラスターボード１３の表面に、網状体であるラス網１４を固定すると共にラス網１４を内蔵するようにコンクリートを打設してコンクリート壁を構成した。【選択図】図１
0003172428.tif 000002
【実用新案登録請求の範囲】
【請求項１】
建物に固定した下地材と、前記下地材の表面に固定した裏面型枠と、前記裏面型枠の表面に固定した網状体を内蔵した１０ｍｍから２５ｍｍの厚さのコンクリート壁と、からなる装飾用コンクリート壁。
【請求項２】
前記コンクリート壁を、前記コンクリート壁と同一構成の複数のコンクリートブロックによって構成し、特定の前記コンクリートブロックの上部あるいは側部に連続して他のコンクリートブロックを構成してなることを特徴とする請求項１記載の装飾用コンクリート壁。
【請求項３】
前記コンクリート壁の表面に装飾部を設けたことを特徴とする請求項１又は２記載の装飾用コンクリート壁。
【考案の詳細な説明】
【技術分野】
【０００１】
本考案は、建物の内部に打設する装飾用のコンクリート壁に関するものである。
【背景技術】
【０００２】
従来より、ビルディングなどのコンクリート構造物の壁体を施工する場合に、多数の鉄筋を配筋し、これらの配筋を含んで設計壁面厚に応じて木製のパネル型枠を組み上げ、生コンクリートを打設する工法が公知である。
例えば、特許文献１で提案された発明は、床に壁体用の鉄筋を予め立設し、該鉄筋を取り囲んで型枠材を設置してコンクリートを打設し、壁体を現場打ちで形成してなる壁体を有するコンクリート構造物であり、道路の境界壁、擁壁、欄干などのようなコンクリート壁体を、表面にクラックが生じることなく、長期に渡って美麗な外観を維持できるようにすることを目的としている。
【先行技術文献】
【特許文献】
【０００３】
【特許文献１】特開平７−３１７０２９号公報
【０００４】
このように、従来のコンクリート壁体は建物の外壁を形成するために、相当の強度を求められていたため、前記のような製造方法をとっていたのである。
【０００５】
一方、室内の装飾用にコンクリート壁を作ることもあったが、前記のような外壁用のコンクリート壁と同様の製造方法をとると、製作が大がかりな上に、コンクリートの重量の問題があり室内での施工には不向きであり、重量を軽減すると耐久性が低くなるという問題があった。
【考案の概要】
【考案が解決しようとする課題】
【０００６】
本考案は、上記のような従来の問題点を解決したもので、施工が容易で軽量で耐久性に優れ装飾性に富んだ、室内の装飾として最適な装飾用コンクリート壁を提供することを目的とする。
【課題を解決するための手段】
【０００７】
本考案の要旨とするところは、建物に固定した下地材と、前記下地材の表面に固定した裏面型枠と、前記裏面型枠の表面に固定した網状体を内蔵した１０ｍｍから２５ｍｍの厚さのコンクリート壁とからなる装飾用コンクリート壁である。
【０００８】
また、本考案の要旨とするところは、前記コンクリート壁を、前記コンクリート壁と同一構成の複数のコンクリートブロックによって構成し、特定の前記コンクリートブロックの上部あるいは側部に連続して他のコンクリートブロックを構成してなる装飾用コンクリート壁である。
【０００９】
また、本考案の要旨とするところは、前記コンクリート壁の表面に装飾部を設けた装飾用コンクリート壁である。
【考案の効果】
【００１０】
請求項１に係る装飾用コンクリート壁によれば、建物の柱に固定した下地材の表面に裏面型枠を固定し、この裏面型枠の表面に、網状体を内蔵した厚さ１０ｍｍから２５ｍｍのコンクリート壁を構成したから、コンクリートの量が少なく全体として軽量であり、また施工が容易で室内での施工に適し耐久性も強いため、室内の装飾として最適な装飾用コンクリート壁である。
【００１１】
請求項２に係る装飾用コンクリート壁によれば、前記コンクリート壁を複数のコンクリートブロックによって構成し、特定のコンクリートブロックの上部あるいは側部に連続して他のコンクリートブロックを構成してなるため、壁の面積に応じて施工が計画的に行え、かつコンクリートブロックを順次構成していくから、個々の型枠の面積が小さくて良いため、表面型枠と裏面型枠のスペースが狭くてもコンクリートが完全に充填されるのである。
【００１２】
請求項３に係る装飾用コンクリート壁によれば、前記コンクリート壁の表面に装飾部を設けたため、コンクリートの地肌の装飾性と相まって装飾部の装飾効果が一段と高まるのである。
【図面の簡単な説明】
【００１３】
【図１】装飾用コンクリート壁の組み立て状態の切欠斜視図
【図２】装飾用コンクリート壁の構成を示す模式図
【図３】装飾用コンクリート壁の施工手順を示す正面図
【図４】装飾用コンクリート壁の施工手順を示す側面図
【図５】装飾用コンクリート壁の施工完成状態を示す正面図
【考案を実施するための形態】
【００１４】
本考案の装飾用コンクリートの実施形態を図に基づいて説明する。
まず構成を説明すると、図１、図２に示すように、建物の柱１１に下地材であるコンクリートパネル１２と裏面型枠であるプラスターボード１３を順次固定し、さらに前記プラスターボード１３の表面に、網状体であるラス網１４を固定すると共にラス網１４を内蔵するようにコンクリートを打設したコンクリート壁１８である。
前記網状体としてはラス網以外にメタルラス、パンチングメタル、ＦＲＰ製網状体が考えられる。
【００１５】
次に製造方法を説明する。
全体のコンクリート壁１８を横３列、縦５段の１５個のコンクリートブロックに分割して、各コンクリートブロックを順次打設してコンクリート壁１８を施工する場合を説明する。
図２に示すように、柱１１に前記のようにコンクリートパネル１２とプラスターボード１３とラス網１４を固定する。
【００１６】
その後、図３及び図４（Ａ）に示すように前記プラスターボード１３に、スペーサ２１によって一定のスペース２０を有して、表面型枠であるプラスターボード１５を最下段の１段のみ固定する。
次いで図４（Ａ）の矢印に示すように、上方からスペース２０内にコンクリートを打設し固化した後に、前記プラスターボード１５及びスペーサ２１を外すと、プラスターボード１３の表面にコンクリートブロック１８ａが形成される。この場合、ラス網１４はコンクリートブロック１８ａに内蔵された状態となり、コンクリートブロック１８ａの表面には表れない。また、スペーサ２１を外した後に残った孔にはコンクリートを埋めておく。
このようにして最下段のみコンクリート壁１８（コンクリートブロック１８ａ）を打設する。なお、この場合、前記スペース２０が１５ｍｍから２０ｍｍと狭いため、必要に応じてバイブレータ等の器具（図示せず）を使用して打設しても良い。
【００１７】
前記製造方法における、コンクリートパネルやプラスターボードの固定は公知の方法で行う。また、下地材であるコンクリートパネル１２の厚さは約１５ｍｍ、裏面型枠であるプラスターボード１３の厚さは約１５ｍｍ、ラス網１４を内蔵したコンクリート壁１８の厚さは１０ｍｍから２５ｍｍ、好ましくは１５ｍｍから２０ｍｍである。
【００１８】
このようにして図４（Ａ）に示すように、表面型枠１５を用いて最下段のコンクリートブロック１８ａのみ打設して、コンクリート壁を分割してコンクリートブロック毎に打設していくのは次の理由による。
すなわちコンクリート壁１８を薄くするためにスペース２０を狭くしているので、スペース２０の上方から一度にコンクリートを流し込んでも、スペース２０内に十分にいきわたらない恐れがあるから、分割して順次コンクリートを打設するのである。
【００１９】
そのため、図４（Ｂ）に示すように最下段のコンクリートブロック１８ａの打設が終わると、このコンクリートブロック１８ａの上部に接して次のコンクリートブロック１８ｂを打設していく。これを繰り返して図４（Ｃ）に示すように、コンクリートブロック１８ｃ、１８ｄ、１８ｅを打設して、図５に示すようにコンクリート壁１８が完成するのである。
なおコンクリートブロックを横方向に施工していく場合には、コンクリートブロック１８ａの側部に接して次のコンクリートブロックを打設していけば良い。
【００２０】
なお、図５の符号１９は、コンクリートブロックとコンクリートブロックの継ぎ目であり、必要に応じて削り取る。また、符号２２はコンクリート壁１８に構成した装飾部であり、本実施形態ではコンクリートに凹凸を設けて製作したが、これに限定されず他の製作方法あるいは他のデザインを自在に選択できる。
【００２１】
上記のように構成した本実施形態によれば、次の効果を有する。
（１）コンクリートを薄く打設できるため軽量となり、施工が容易で耐久性に優れる。
（２）コンクリート壁を分割してコンクリートブロックを順次構成していくから、型枠の面積がコンクリートブロック用で良いため小さくてすみ、更に表面型枠と裏面型枠のスペースが狭くてもコンクリートが完全に充填される。
（３）コンクリートの地肌の装飾性と相まって装飾部の装飾効果が一段と高まるため、室内の装飾として優れている。
【産業上の利用可能性】
【００２２】
本考案は、室内の装飾用のコンクリート壁として、ファッション業界やオフィスにおいて、入口や展示場の装飾あるいは間仕切り等に用いることができる。
【符号の説明】
【００２３】
１１  柱（建物）  
１２  コンクリートパネル（下地材）  
１３  プラスターボード（裏面型枠）
１４  ラス網（網状体）
１５  プラスターボード（表面型枠）
１８  コンクリート壁
１８ａ  コンクリートブロック
１８ｂ  コンクリートブロック
１８ｃ  コンクリートブロック
１８ｄ  コンクリートブロック
１８ｅ  コンクリートブロック
１９  継ぎ目
２０  スペース
２１  スペーサ
２２  装飾部
【図１】
0003172428.tif 000003
【図２】
0003172428.tif 000004
【図３】
0003172428.tif 000005
【図４】
0003172428.tif 000006
【図５】
0003172428.tif 000007